(57)【特許請求の範囲】
【請求項１】
建物の周方向に対して直角方向の内側から外側に向かって下る水勾配を付けた複数枚の床材を屋外に連設し、
前記建物の周方向の一側から他側に向かって下るように傾斜しかつその傾斜方向に延びる下地板を最も外側に位置する床材の外側に配置し、
下方へ突出する複数の雄ネジ部材を前記下地板の幅方向及び長手方向に互いに間隔を開けて前記下地板の下面に設け、
高さ調節用ストッパを上下方向に移動自在に前記雄ネジ部材に設け、
複数のボルト孔を有する固定板を水平方向に配置し、
前記雄ネジ部材を前記固定板の下面から下方へ突出するように前記固定板のボルト孔に上方から挿通して前記高さ調節用ストッパを前記固定板上に載置し、
固定用ナットを前記雄ネジ部材に螺合して前記固定板の下面に対して締め付け、
長手方向に延びる排水溝を上部に設けた横樋を前記下地板の長手方向に対して平行となるように前記下地板上に着脱自在に固定したことを特徴とする屋外床。
【請求項２】
下方へ突出する少なくとも１つの位置決め用雄ネジ部材を前記下地板の長手方向の下流端近傍の下面に設け、
前記位置決め用雄ネジ部材を前記固定板の下面から下方へ突出するように前記固定板のボルト孔に上方から挿通し、
固定用ナットを前記位置決め用雄ネジ部材に螺合して前記固定板の下面に対して締め付けた請求項１記載の屋外床。
【発明の詳細な説明】
【技術分野】
【０００１】
本発明は、排水溝を有する屋外通路等の屋外床に関するものである。
【背景技術】
【０００２】
周知のように、集合住宅等の建物の屋外通路等においては、鉄骨部材で構成された骨組架構の上に、窯業系材料の押出成形品で構成された床材を複数枚敷き詰めると共に、最も外側に位置する床材の上面に建物の周方向（屋外通路の長手方向）に延びる排水溝を形成することが多い。
【０００３】
しかし、床材の上面に形成された排水溝は水勾配のないものであるので、雨水が適切に排水されずに排水溝に溜まり、見映えが悪くなることが多いという問題点がある。また、排水溝は床材に直接形成されているので、排水溝に溜まった雨水により床材が劣化することが多いという問題点がある。
【０００４】
そこで、建物の周方向に対して直角方向の内側から外側へ突出する複数本の支持梁を建物の外側に設け、支持梁の突端に図９のような前梁５１を建物の周方向に架設し、支持梁上に複数枚の床材を敷き詰めて床面を形成し、前梁５１の建物側の側面５１ａに複数個の図９のような支持具５２を前梁５１の長手方向に略等間隔でかつ下流に位置するほど低い位置となるように取り付け、最も外側に位置する床材の外側縁と前梁５１との間に、図９のような長手方向に延びる排水溝５３を上部に設けた横樋５４を配置し、複数個の支持具５２で下地板５５を介して横樋５４を支持した屋外通路（例えば、特許文献１参照。）等が提案されている。
【特許文献１】特許２００３−１１９８７６号公報（請求項１、図１等）
【０００５】
図９に示すように、この屋外通路における前梁５１は、断面がコ字状に形成されており、建物側の側面５１ａが図示しない支持梁の突端に固定されている。支持具５２は、前梁５１の建物側の側面５１ａに２組の固定用ボルト５６及び固定用ナット５７で固定される矩形状の取付板６１と、この取付板６１の側縁に直角方向に突設された直角三角形状のリブ板６２と、このリブ板６２の上縁に取付板６１と反対方向へ突出するように設けられた矩形状の固定板６３とを備えている。支持具５２には、長手方向に延びる開口部５５ａが上方を向くようにして断面がコ字状の下地板５５が架設されている。この下地板５５上には、長手方向の両端部７１ａ、７１ｂに上方へ突出する係止片７２をそれぞれ設けた係止具７１が下地板５５の長手方向に対して直角方向にかつ下地板５５の長手方向に互いに間隔を開けて載置されている。下地板５５及び係止具７１は、２組の固定用ボルト７３及び固定用ナット７４により支持具５２の固定板６３上に固定されている。横樋５４は、長手方向に延びるように下面５４ｂに設けた２つの係止溝７５に係止具７１の２つの係止片７２をそれぞれ係合することにより下地板５５上に着脱自在に固定されている。
【発明の開示】
【発明が解決しようとする課題】
【０００６】
上記のような従来の屋外通路では、支持具５２の取付板６１に形成したボルト孔７６と前梁５１に形成したボルト孔７７との少なくともいずれかを上下方向に延びる長孔とすることにより支持具５２の高さ位置を調節可能としているが、長孔は上下方向に延びているので、固定用ナット５７を締め付けても支持具５２の高さ位置、即ち横樋５４の高さ位置が下方向へずれるおそれがあるという問題点がある。
【０００７】
本発明は、以上のような事情や問題点に鑑みてなされたものであり、横樋の高さ位置を調節できると共に、横樋の高さ位置がずれるのを防止できる屋外床を提供することを目的とする。
【課題を解決するための手段】
【０００８】
上記目的を達成するための請求項１の発明は、建物の周方向に対して直角方向の内側から外側に向かって下る水勾配を付けた複数枚の床材を屋外に連設し、前記建物の周方向の一側から他側に向かって下るように傾斜しかつその傾斜方向に延びる下地板を最も外側に位置する床材の外側に配置し、下方へ突出する複数の雄ネジ部材を前記下地板の幅方向及び長手方向に互いに間隔を開けて前記下地板の下面に設け、高さ調節用ストッパを上下方向に移動自在に前記雄ネジ部材に設け、複数のボルト孔を有する固定板を水平方向に配置し、前記雄ネジ部材を前記固定板の下面から下方へ突出するように前記固定板のボルト孔に上方から挿通して前記高さ調節用ストッパを前記固定板上に載置し、固定用ナットを前記雄ネジ部材に螺合して前記固定板の下面に対して締め付け、長手方向に延びる排水溝を上部に設けた横樋を前記下地板の長手方向に対して平行となるように前記下地板上に着脱自在に固定したものである。
【０００９】
請求項２の発明は、下方へ突出する少なくとも１つの位置決め用雄ネジ部材を前記下地板の長手方向の下流端近傍の下面に設け、前記位置決め用雄ネジ部材を前記固定板の下面から下方へ突出するように前記固定板のボルト孔に上方から挿通し、固定用ナットを前記位置決め用雄ネジ部材に螺合して前記固定板の下面に対して締め付けたものである。
【発明の効果】
【００１０】
請求項１の発明によれば、高さ調節用ナットを固定板上に載置した状態で下地板を固定板に固定できるので、横樋の高さ位置がずれるのを防止することができる。また、固定板に不陸があったとしても、高さ調節用ナットの高さ位置により横樋の高さ位置を調節することによって適切な水勾配を確保することができる。更に、排水溝を有する横樋は建物の周方向の一側から他側に向かって下るように傾斜しているので、雨水を適切に排水することができる。加えて、横樋は着脱自在に固定されているので、必要に応じて横樋を交換することができる。
【００１１】
請求項２の発明によれば、位置決め用雄ネジ部材を固定板のボルト孔に挿通するだけで簡単に下地板の位置決めを行うことができる。
【発明を実施するための最良の形態】
【００１２】
以下、本発明の実施形態を図面に基づいて説明する。
本実施形態に係る屋外通路（屋外床）１は、図１〜図５に示すように、主な構成部材として、複数枚の床材２、下地板３、複数の雄ネジ部材４、固定板５、及び横樋６を備えている。なお、屋外床は、本実施形態のような屋外通路１の他、バルコニー床や陸屋根等であってもよい。
【００１３】
床材２は、窯業系材料の押出成形品等で構成されて板状に形成されており、図１に示すように、建物７の周方向（図１の紙面に対して直角方向である屋外通路１の長手方向）に対して直角方向（図１の左右方向である屋外通路１の幅方向）の内側から外側に向かって下る水勾配を有するように屋外に連設されている。この床材２は、上記の水勾配を有するようにかつ建物７の周方向に互いに間隔を開けて架設した腕木８上に固定されている。
【００１４】
腕木８は、図６に示すように、腕木本体９、内側取付部材１０、及び外側取付部材１１を備えている。内側取付部材１０は、腕木本体９の一端９ｂに突設された矩形状の連結板１０ａと、この連結板１０ａの突端に直角方向に突設された取付板１０ｂとからＴ字状に形成されている。外側取付部材１１は、腕木本体９の他端９ｃに突設された台形状の連結板１１ａと、この連結板１１ａの突端に直角方向に突設された取付板１１ｂとからＴ字状に形成されている。腕木本体９は、２つのＣ型鋼９ｄを有している。Ｃ型鋼９ｄは、断面がＣ字状に形成されており、内側取付部材１０の連結板１０ａ、外側取付部材１１の連結板１１ａ、及び図示しない連結プレートを介して背面同士が連結されている。この腕木本体９は、Ｃ型鋼９ｄの長手方向に延びる開口部９ａがそれぞれ建物７の周方向を向くように配置されている。内側取付部材１０の取付板１０ｂは、図１に示すように、建物７の梁１２の外側の端部１２ａに直角方向に突設したフランジ１３に４組の固定用ボルト１４及び固定用ナット１５により取り付けられている。
【００１５】
なお、内側取付部材１０は、Ｔ字状の他、連結板１０ａと取付板１０ｂとからＬ字状に形成してもよい。外側取付部材１１も、Ｔ字状の他、連結板１１ａと取付板１１ｂとからＬ字状に形成してもよい。梁１２が建物７の周方向に延びるように配置されている場合は、梁１２の外側に設けたフランジ部材に複数組の固定用ボルト１４及び固定用ナット１５により腕木８を取り付けることができる。
【００１６】
また、床材２の支持手段としては、本実施形態のような腕木８の他、梁等の従来公知の技術を採用することができる。床材２を水平方向に配置する場合は、床材２の上部に水勾配を付けておけばよい。あるいは、床材２の支持手段を水平方向に配置する場合は、床材２とその支持手段との間に介在するスペーサにより、水勾配を有するように床材２を配置すればよい。固定用ナット１５と梁１２のフランジ１３との間には、図１のように、座金１５Ａを介在させるのが望ましい。座金１５Ａは、固定用ナット１５に回転自在に固定しておいてもよい。
【００１７】
建物７の外側方には、建物７から間隔を開けて柱１６が立設されている。図１及び図３〜図５に示すように、柱１６の建物７側には突出板１７が突設されていると共に、この突出板１７の突端には直角方向にフランジ１８が突設されている。外側取付部材１１の取付板１１ｂは、図３〜図５に示すように、梁１９を介して柱１６のフランジ１８に４組の固定用ボルト２０及び固定用ナット２１により取り付けられている。なお、固定用ナット２１と外側取付部材１１の取付板１１ｂとの間には、座金２１Ａを介在させるのが望ましい。座金２１Ａは、固定用ナット２１に回転自在に固定しておいてもよい。
【００１８】
梁１９は、縦板２２と固定板５と下板２３とから断面がコ字状に形成されており、建物７の周方向に延びるようにかつ長手方向に延びる開口部１９ａが建物７側へ向くように設けられている。縦板２２は、柱１６のフランジ１８と外側取付部材１１の取付板１１ｂとの間に介在している。固定板５は、縦板２２の上縁に直角方向に突設されている。下板２３は、縦板２２の下縁に直角方向に突設されている。
【００１９】
下地板３は、図７及び図８に示すように、断面がＣ字状に形成されており、長手方向に延びる開口部３ａが上方を向くようにかつ建物７の周方向の一側から他側に向かって下るように傾斜した状態で、最も外側に位置する床材２の外側に配置されている。
【００２０】
雄ネジ部材４は、図３及び図４に示すように、下方へ突出するように下地板３の下面３ｂに設けられている。そして、複数の雄ネジ部材４は、図２〜図４に示すように、下地板３の長手方向に互いに間隔を開けて設けられている。また、下地板３の幅方向に互いに間隔を開けて設けられた例えば２つの雄ネジ部材４においては、高さ調節用ナット２６Ａが同じ高さ位置とされている。なお、雄ネジ部材４の長さは特に限定されるものではなく、適宜変更可能である。また、下地板３の幅方向に互いに間隔を開けて設けられる雄ネジ部材４の数も、３つ以上であってもよい。
【００２１】
この雄ネジ部材４は、溶接により下地板３の下面３ｂに固定されている。下地板３の下面３ｂに対する雄ネジ部材４の固定形式は、溶接の他、雄ネジ部材４の上端に突設された雄ネジ部を下地板３に形成された雌ネジ穴に螺着する形式や、下地板３に形成されたボルト孔に固定用ボルトの雄ネジ部を上方から挿通して雄ネジ部材４の上面に開口した雌ネジ穴に螺着する形式等であってもよい。
【００２２】
梁１９の固定板５は、水平方向に配置されている。この固定板５には、複数のボルト孔２５が形成されている。雄ネジ部材４には、高さ調節用ナット（高さ調節用ストッパ）２６Ａが螺合されている。固定板５のボルト孔２５には、雄ネジ部材４が固定板５の下面５ｂから下方へ突出するように上方から挿通されている。高さ調節用ナット２６Ａは、固定板５上に載置されている。固定板５の下面５ｂから下方へ突出した雄ネジ部材４には、固定用ナット２６Ｂが螺合されている。この固定用ナット２６Ｂは、固定板５の下面５ｂに対して締め付けられている。このように、下地板３は、複数の雄ネジ部材４を介して高さ調節用ナット２６Ａ及び固定用ナット２６Ｂにより梁１９の固定板５上に固定されている。
【００２３】
なお、固定板５を有する構成部材は、本実施形態のような梁１９に限定されるものではなく、図示しないが、屋外の柱１６の建物７側に又は柱１６の通りに一致するように建物７の周方向に配置した梁の建物７側の側面に複数組の固定用ボルト及び固定用ナットで固定される取付板と、この取付板の側縁に直角方向に突設されたリブ板と、このリブ板の上縁に取付板と反対側の直角方向へ突出するように設けられた固定板とを備えた、既述の支持具５２と同様の支持具等であってもよい。このような支持具を採用する場合は、複数の支持具を雄ネジ部材４の突設位置に合わせて屋外の梁の長手方向に互いに間隔を開けかつ固定板５が水平方向となるように配置すればよい。固定用ナット２６Ｂと固定板５との間には、座金２６Ｃを介在させるのが望ましい。座金２６Ｃは、固定用ナット２６Ｂに回転自在に固定しておいてもよい。
【００２４】
高さ調節用ストッパも、本実施形態のような高さ調節用ナット２６Ａに限定されるものではなく、図示しないが、雄ネジ部材４の適宜の高さ位置に着脱自在に固定されるクランプ等であってもよい。いずれにしても、高さ調節用ストッパは、上下方向（雄ネジ部材４の長さ方向）に移動自在に雄ネジ部材４に設けておき、下地板３が建物７の周方向の一側から他側に向かって下る水勾配を有するように雄ネジ部材４に固定しておけばよい。
【００２５】
横樋６は、図３〜図５に示すように、窯業系材料や金属等の強度及び耐久性を有しかつ長尺形状とすることが可能な材料の押出成形品等で構成されて断面がコ字状に形成されており、長手方向に延びる排水溝２７を上部に有している。図７に示すように、この横樋６の両側面６ａ、６ｂの上縁には、長手方向に延びかつ外側方へ突出する突出部２８がそれぞれ設けられている。また、横樋６の両側面６ａ、６ｂには、長手方向に延びる係止溝２９がそれぞれ設けられている。
【００２６】
下地板３上には、図７及び図８に示すように、長手方向の両端部に上方へ突出する係止片３１をそれぞれ設けた係止具３０が下地板３の長手方向に対して直角方向にかつ下地板３の長手方向に互いに間隔を開けて載置されている。係止具３０の両端部は、それぞれリベット３２により下地板３上に固定されている。横樋６は、係止溝２９に係止具３０の係止片３１をそれぞれ係合することにより、下地板３の長手方向に対して平行となるように下地板３上に着脱自在に固定されている。係止具３０の両端部は、リベット３２の他、溶接等によりそれぞれ下地板３上に固定することもできる。なお、本実施形態のように、横樋６を弾性力により上方へ押圧する逆Ｖ字状の弾性片３３を係止具３０に少なくとも１つ（例えば２つ）設けておけば、横樋６のガタツキを防止できるという利点がある。
【００２７】
ここで、横樋６は、下地板３上にあらかじめ固定しておいてもよいし、下地板３を梁１９の固定板５上に複数の雄ネジ部材４を介して固定してから下地板３上に固定してもよい。図３〜図５に示すように、横樋６の建物７側の突出部２８と最も外側に位置する床材２の外側縁２ａとの間や、横樋６の外側の突出部２８と屋外の柱１６の建物７側に建物７の周方向に配置された横材３４等との間は、シーリング材３５でシーリングしておくのが望ましい。この場合、シーリング材３５の下には、三面接着防止のためのボンドブレーカー（又はバックアップ材）３５ｂを配置しておくのが望ましい。同様に、床材２同士の間も、シーリング材３５でシーリングしておくのが望ましい。この場合も、図示しないが、シーリング材３５の下には、三面接着防止のためのボンドブレーカー又はバックアップ材を配置しておくのが望ましい。
【００２８】
上記のように構成された屋外通路１によれば、高さ調節用ナット２６Ａを固定板５上に載置した状態で下地板３を固定板５に固定できるので、横樋６の高さ位置がずれるのを防止できるという利点がある。また、梁１９に不陸があったとしても、高さ調節用ナット２６Ａの高さ位置により横樋６の高さ位置を調節することによって適切な水勾配を確保できるという利点がある。更に、排水溝２７を有する横樋６は建物７の周方向の一側から他側に向かって下るように傾斜しているので、雨水を適切に排水できるという利点がある。加えて、横樋６は着脱自在に固定されているので、必要に応じて横樋６を交換できるという利点がある。
【００２９】
ここで、図２及び図５に示すように、下方へ突出する例えば２つの位置決め用雄ネジ部材４１を下地板３の幅方向に互いに間隔を開けて下地板３の長手方向の下流端３ｃ近傍の下面３ｂに設け、位置決め用雄ネジ部材４１を固定板５の下面５ｂから下方へ突出するように固定板５のボルト孔２５に上方から挿通し、固定用ナット４２を位置決め用雄ネジ部材４１に螺合して固定板５の下面５ｂに対して締め付けるようにしておけば、位置決め用雄ネジ部材４１を固定板５のボルト孔２５に挿通するだけで簡単に下地板３の位置決めを行えるという利点がある。位置決め用雄ネジ部材４１の数は、２つに限定されるものではなく、１つ又は３つ以上であってもよい。ここでいう下流とは、建物７の周方向の一側から他側に向かって下るように傾斜している場合における建物７の周方向の他側をいう。一方、上流とは、建物７の周方向の一側から他側に向かって下るように傾斜している場合における建物７の周方向の一側をいう。
【００３０】
なお、固定用ナット４２と固定板５との間には、座金４２Ａを介在させるのが望ましい。座金４２Ａは、固定用ナット４２に回転自在に固定しておいてもよい。
【００３１】
また、隣接する下地板３の長手方向の上流端３ｄ同士は、図２のように突き合わせることができる。隣接する横樋６の長手方向の上流端６ｄ同士の間は、一定間隔を開けておいてその隙間にシーリング材３５を充填するのが望ましい。下地板３の長手方向の下流端３ｃに対しては、下地板３と同様に構成されて梁１９の固定板５上に水平方向に載置された役物下地板４３の長手方向の端部４３ａを突き合わせることができる。横樋６の長手方向の下流端６ｄと、下地板３上に固定する場合と同様にして役物下地板４３上に着脱自在に固定された横樋６の長手方向の端部６ｅとの間は、一定間隔を開けておいてその隙間にシーリング材３５を充填するのが望ましい。役物下地板４３上の横樋６の排水溝２７には、図２のような鉛直方向に延びるドレイン４４の上端を接続することができる。これにより、下地板３上の横樋６の排水溝２７を流下する雨水を、役物下地板４３上の横樋６の排水溝２７を経由してドレイン４４内に排水することができる。この場合、ドレイン４４は、梁１９の固定板５に設けた切欠部５ｃや梁１９の下板２３に設けた切欠部２３ｃに挿入すればよい。
【００３２】
更に、下方へ突出する例えば２つの位置決め用雄ネジ部材４５を役物下地板４３の幅方向に互いに間隔を開けて役物下地板４３の長手方向の端部４３ａ近傍の下面４３ｂに設け、位置決め用雄ネジ部材４５を固定板５の下面５ｂから下方へ突出するように固定板５のボルト孔２５に上方から挿通し、固定用ナット４６を位置決め用雄ネジ部材４５に螺合して固定板５の下面５ｂに対して締め付けるようにしておけば、位置決め用雄ネジ部材４５を固定板５のボルト孔２５に挿通するだけで簡単に役物下地板４３の位置決めを行えるという利点がある。位置決め用雄ネジ部材４５の数は、２つに限定されるものではなく、１つ又は３つ以上であってもよい。固定用ナット４６と固定板５との間には、座金４６Ａを介在させるのが望ましい。座金４６Ａは、固定用ナット４６に回転自在に固定しておいてもよい。
【産業上の利用可能性】
【００３３】
以上のように、本発明に係る屋外床は、横樋の高さ位置を調節すると共に、横樋の高さ位置がずれるのを防止するのに適している。
【図面の簡単な説明】
【００３４】
【図１】実施形態に係る屋外通路の幅方向の断面を示す概略説明図。
【図２】建物側から見た下地板を梁の固定板上に複数の雄ネジ部材を介して固定する様子を示す一部省略側面図。
【図３】下地板の長手方向の上流端近傍における構成部材の配置状態を示す要部拡大概略断面図。
【図４】下地板の長手方向の上流端と下流端の間における構成部材の配置状態を示す要部拡大概略断面図。
【図５】下地板の長手方向の下流端近傍における構成部材の配置状態を示す要部拡大概略断面図。
【図６】腕木の一部省略正面図。
【図７】横樋を下地板上の係止具から取り外した状態を示す要部拡大概略断面図。
【図８】係止具近傍における下地板の一部を切り欠いた概略平面図。
【図９】従来技術を示す分解斜視図。
【符号の説明】
【００３５】
１  屋外通路（屋外床）
２  床材
３  下地板
３ｂ  下面
３ｃ  下流端
４  雄ネジ部材
５  固定板
５ｂ  下面
６  横樋
７  建物
２５  ボルト孔
２６Ａ  高さ調節用ナット（高さ調節用ストッパ）
２６Ｂ  固定用ナット
２７  排水溝
４１  位置決め用雄ネジ部材
４２  固定用ナット
【図１】
0004730598.tif 000002
【図２】
0004730598.tif 000003
【図３】
0004730598.tif 000004
【図４】
0004730598.tif 000005
【図５】
0004730598.tif 000006
【図６】
0004730598.tif 000007
【図７】
0004730598.tif 000008
【図８】
0004730598.tif 000009
【図９】
0004730598.tif 000010